(57)【特許請求の範囲】
【請求項１】
被験者の心拍を検出するとともに、前記検出された心拍と関連付けられた第１の信号を供給するように構成される光電脈波センサ、
前記被験者の皮膚コンダクタンスを検出するとともに、前記検出された皮膚コンダクタンスと関連付けられた第２の信号を供給するように構成される皮膚コンダクタンスセンサ、及び
前記第１の信号と前記第２の信号とを受信し、
前記第１又は第２の信号の１又は複数を分析し、前記被験者の心拍数又は心拍変動の決定に使用するための前記第１又は第２の信号の１又は複数の信頼性を決定し、前記第２の信号の分析は、波形リップルの検査を含み、
前記被験者の前記心拍数又は心拍変動を決定するために、前記決定された信頼性に基づいて、前記第１又は第２の信号の１又は複数を選択する、
ように構成される処理ユニットを有する、装置。
【請求項２】
前記処理ユニットは、前記第１の信号と関連付けられた動きアーチファクトの有無の決定に基づいて、前記第１の信号の信頼性を決定するように構成される、請求項１に記載の装置。
【請求項３】
前記処理ユニットは、心拍を示すとともに前記第２の信号と関連付けられた前記波形リップルの有無の決定に基づいて、前記第２の信号の信頼性を決定するように構成される、請求項１に記載の装置。
【請求項４】
前記処理ユニットはさらに、前記第１の信号又は前記第２の信号の１つ以上にデジタルフィルタを適用するように構成される、請求項１に記載の装置。
【請求項５】
前記皮膚コンダクタンスセンサは、皮膚コンダクタンス応答時間を検出するように構成されるとともに１００Ｈｚより上の周波数に反応する、請求項１に記載の装置。
【請求項６】
前記処理ユニットはさらに、電力消費を管理するために、前記光電脈波センサ又は前記皮膚コンダクタンスセンサの１つ以上を選択的に使用可能又は使用不可能にするように構成される、請求項１に記載の装置。
【請求項７】
前記装置はさらに、加速度計を有し、前記処理ユニットは、前記加速度計の出力に応じて、前記光電脈波センサ又は前記皮膚コンダクタンスセンサの１つ以上を使用可能又は使用不可能にするように構成される、請求項１に記載の装置。
【請求項８】
前記処理ユニットはさらに、前記第１の信号又は前記第２の信号の１つ以上から、前記心拍数又は心拍変動の１つ以上を計算するように構成される、請求項１に記載の装置。
【請求項９】
前記処理ユニットはさらに、切り替え元の信号が信頼できないとの決定に基づいて、前記心拍又は心拍変動について前記第１又は第２の信号のいずれかの使用を切り替えるように構成される、請求項１に記載の装置。
【請求項１０】
被験者の心拍を示す第１の信号を受信し、
前記被験者に関する皮膚コンダクタンス情報を有する第２の信号を受信し、
前記第１又は第２の信号の１又は複数を分析し、前記被験者の心拍数又は心拍変動の決定に使用するための前記第１又は第２の信号の１又は複数の信頼性を決定し、前記第２の信号の分析は、波形リップルの検査を含み、
前記被験者の前記心拍数又は心拍変動を決定するために、前記決定された信頼性に基づいて、前記第１又は第２の信号の１又は複数を選択する、方法。
【請求項１１】
前記第１の信号と関連付けられた動きアーチファクトの有無の決定に基づいて、前記第１の信号の信頼性を決定する、請求項１０に記載の方法。
【請求項１２】
前記第２の信号と関連付けられた前記波形リップルの有無の決定に基づいて、前記第２の信号の信頼性を決定する、請求項１０に記載の方法。
【請求項１３】
前記第１の信号又は前記第２の信号の１つ以上にデジタルフィルタを適用する、請求項１０に記載の方法。
【請求項１４】
前記第２の信号の受信は、１００Ｈｚより上の周波数を有する皮膚コンダクタンス応答時間の受信を含む、請求項１０に記載の方法。
【請求項１５】
電力消費を管理するために、光電脈波センサ又は皮膚コンダクタンスセンサの１つ以上を選択的に使用可能又は使用不可能にする、請求項１０に記載の方法。
【請求項１６】
動き情報を受信し、前記動き情報の出力に応答して、光電脈波センサ又は皮膚コンダクタンスセンサの１又は複数を使用可能又は使用不可能にする、請求項１０に記載の方法。
【請求項１７】
前記第１の信号又は前記第２の信号の１つ以上から、心拍数又は心拍変動の１つ以上を計算する、請求項１０に記載の方法。
【請求項１８】
切り替え元の信号が信頼できないとの決定に基づいて、前記心拍又は心拍変動について前記第１又は第２の信号のいずれかの使用を切り替える、請求項１０に記載の方法。
【請求項１９】
プロセッサユニットによって実行された場合に、前記プロセッサユニットに、  被験者の心拍を示す第１の信号を受信させ、
前記被験者に関する皮膚コンダクタンス情報を有する第２の信号を受信させ、
前記第１又は第２の信号の１又は複数を分析させ、前記被験者の心拍数又は心拍変動の決定に使用するための前記第１又は第２の信号の１又は複数の信頼性を決定させ、前記第２の信号の分析は、波形リップルの検査を含み、
前記被験者の前記心拍数又は心拍変動を決定するために、前記決定された信頼性に基づいて、前記第１又は第２の信号の１又は複数を選択させる、実行可能なコードを有する、非一時的なコンピュータ読み取り可能な記録媒体。
【請求項２０】
前記実行可能なコードが、前記プロセッサユニットによって実行された場合に、前記プロセッサユニットに、切り替え元の信号が信頼できないとの決定に基づいて、前記心拍又は心拍変動について前記第１又は第２の信号のいずれかの使用を切り替えさせる、請求項１９記載の非一時的なコンピュータ読み取り可能な記録媒体。
【発明の詳細な説明】
【技術分野】
【０００１】
本開示は、心拍数及び/又は心拍変動を検出するための方法及び装置に関する。
【背景技術】
【０００２】
心拍数（ＨＲ）及び心拍変動（ＨＲＶ）は、生体の健康及び/又は健康状態(fitness)を評価するのに役立つ測定可能な量である。例えば、ＨＲＶの測定は、人間のストレスの検出に使用される。これらのパラメタを測定する又は得るのに使用される１つの装置は、光電脈波計（ＰＰＧ）であり、これは皮膚に光を当て、透過光又は反射光を検査することにより皮膚容積の変化を検出する。鼓動により膨張若しくは収縮する皮膚又は血管により引き起こされる容積の変化は、鼓動を検出するために測定される。ＨＲ及び/又はＨＲＶは、鼓動と、時には拍動間隔(IBI:inter-beat interval)とも呼ばれる、鼓動の合間の間隔との検出から決定される。ＰＰＧ装置は、比較的コンパクトにする、ポータブルにする又は個々の被験者により着用されることができる。
【発明の概要】
【発明が解決しようとする課題】
【０００３】
生体が動いているとき、ＰＰＧ装置の精度は落ちる。動きアーチファクト形式の雑音がセンサの読取値に生じる。それ故に、ＰＰＧ装置を用いて、動いている被験者のＩＢＩを確実に測定又は得ることは難しい。ＨＲＶのロバストな測定は、そのような環境では課題である。
【０００４】
動きにより生じるアーチファクトは、ＰＰＧ装置にある光源の光出力を増大させることにより、一部は無効にされることができる。このやり方での光源の高出力の使用は、腕に装着されるＰＰＧ装置のバッテリー寿命を大幅に減らす。
【０００５】
アーチファクトは、ＰＰＧ装置の動きを検知することができ、ＰＰＧ装置から得られる信号に補償推定量を提供する加速度計を使用することで無効にされてもよい。動きアーチファクトを補償するために、動きを検知するための１つ以上の加速度計の使用は、装置全体のコスト、サイズ及び電力消費を増大させることにつながる。
【０００６】
ＨＲ及びＨＲＶを測定するのに使用され得るもう１つの技術は、皮膚コンダクタンス（ＳＣ）に基づいている。ＳＣベースの装置は、ＨＲ及び/又はＨＲＶを含む、様々な関心量を決定するために、皮膚領域の電気特性を測定する。例えば、身体活動中、ＳＣは、ＨＲ及び/又はＨＲＶの検出を可能にする心臓の鼓動により減る。しかしながら、ＳＣ装置は時として身体活動が無いときは精度の課題に直面する。
【課題を解決するための手段】
【０００７】
この要約は、詳細な説明の欄において以下にさらに説明される、簡略化した形式の概念の選択を説明するために設けられる。この要約は、請求する内容の鍵となる特徴又は必須の特徴を特定することを意図するものではないし、請求する内容の範囲を決定する助けとして使用されることを意図するものでもない。
【０００８】
本明細書で論じられる技術及び実施は、被験体における心臓又は心血管イベントを検知するための方法及び装置に関する。特に、鼓動、心拍数（ＨＲ）及び/又は心拍変動（ＨＲＶ）の検出及び/又は測定が論じられる。１つ以上のセンサ又は検知技術は、これらの量を検出及び/又は測定するのに用いられてもよく、センサは、ウェアラブル又はポータブルでもよい。センサは、有限電源、例えば１つ以上のバッテリー、太陽エネルギー電源又は他の如何なる種類のポータブル若しくはウェアラブルな電源を用いて動作してもよい。センサ及び/又は検知技術は、異なる原理で動作してもよいし、異なる電力プロファイルを含んでもよい。センサ及び/又は検知技術は、同時に使用されてもよいし、又は部分的若しくは完全に重複する、或いは相互排他的な異なる時間に使用されてもよい。
【０００９】
制御器は、これらセンサ及び/又は検知技術に通信及び/又は制御機能を提供するために用いられてもよい。制御器は、記憶装置から命令を入手し、通信及び/又は制御機能を実行するために、この命令を実施する処理器として実装されてもよい。この制御器はアナログでも又はデジタルでもよく、多数の構成要素、例えば記憶装置、入力／出力制御及び/又は管理、１つ以上の中央処理ユニット及び/又は演算処理ユニット、通信インタフェース、ユーザインタフェースを含んでもよく、本開示に従う方法及び/又は装置を実装する一因となる他の構成要素を含んでもよい。制御器は、ポータブルである又は人が着用するのに十分な小ささである。
【００１０】
本開示に従う方法及び/又は装置は、ＨＲ及び/又はＨＲＶを検出するためのウェアラブル装置を用いて実施されてもよい。幾つかの実施例に従い、前記装置は、被験者の外肢、例えば人間の手首に着用されてもよい。この装置は、１つ以上の光電脈波（ＰＰＧ）センサ及び/又は１つ以上の皮膚コンダクタンス（ＳＣ）センサを含んでもよい。ＰＰＧセンサ及び/又はＳＣセンサは総称して、同じ又は異なる種類のセンサに対し、同じ、少なくとも部分的に重複している及び/又は相互排他的に重複若しくは重複していない動作範囲を持ってもよい。１つの例によれば、１つ以上のＰＰＧセンサは、被験者の低い活動期間中に鼓動を検出するのに使用される。もう１つの例によれば、１つ以上のＳＣセンサは、被験者の高い活動期間中に鼓動を検出するのに使用される。活動的な鼓動の検出中、ＰＰＧセンサは、ＳＣセンサよりも多くのエネルギーを消費する。
【００１１】
幾つかの実施例によれば、制御器は、ＰＰＧセンサ及び/又はＳＣセンサを制御して、センサにより監視される被験者の身体活動又は状態の異なる範囲にわたりＨＲ及び/又はＨＲＶを検出する。例えば、制御器が１つ以上のセンサをオン又はオフにしてもよい。制御器は、例えばＨＲ及び/又はＨＲＶの検出に影響を与えるある環境に対しセンサをある程度敏感にさせることにより、センサに自分の動作範囲を変更させるための、センサへの信号伝達を提供してもよい。制御器は、ＨＲ及び/又はＨＲＶを決定するために、センサから得られたデータを使用し、そして１つ以上のセンサからのデータを選択的に使用してもよい。１つ以上のセンサからのデータの選択は、センサをオン若しくはオフにする、センサを低出力若しくは高出力モードにする、センサからのデータをブロック若しくは受信する、センサからのデータを調整若しくは解析するために異なるアルゴリズムを利用する、又はデータが１つ以上のセンサから選択的に得られる他の如何なる動作を含んでもよい。１つ以上のセンサからのデータの選択は、これらセンサにより供給される信号の信号品質に基づいている。選択に対する他の基準は、他のソース、例えば１つ以上の加速度計、時刻、ある特性を備えるセンサ信号のためのテーブル参照又はアルゴリズムアプリケーション、並びにＨＲ及び/又はＨＲＶを検出又は決定するのに有用なデータを得るために、ある検知技術又はセンサの選択を示す他の如何なるソースから得られてもよい。
【００１２】
幾つかの実施例によれば、加速度計は、使用されても使用されなくてもよい。例えば、加速度計は、開示される装置の実施例にあっても無くてもよいし、又は存在してオン又はオフにされてもよい。幾つかの形態によれば、加速度計は、センサを切り替える又は動きアーチファクトを減らすために使用されていない。制御器は、アルゴリズムに従って、所与のセンサから信号品質を評価する命令（ソフトウェア）を実行し、鼓動を測定するために、他のセンサに対し１つのセンサを選択する。制御器はさらに又は別の方法で、バッテリー電力の消費を減らすために、センサの使用を制御する又は検知技術を実施してもよい。
【００１３】
開示される方法及び/又は装置は、相対的に高精度で及び/又は相対的に高速でＳＣを測定する。ＳＣセンサは、皮膚検知電子装置、アンチエイリアシングフィルタ(anti-aliasing filter)及び/又はバランスフローティング(balanced floating)設計を含んでもよい。制御器及び/又はＳＣセンサは、未処理のセンサ信号のフィルタリングを含んでもよく、アナログ−デジタル変換器の出力のためのデジタルフィルタを含んでもよい。信号は、鼓動によりもたらされるピークが抽出され得る波形を生じるＳＣセンサから得られてもよい。ＨＲ及び/又はＨＲＶは、これらピークのタイムスタンプから得られてもよい。ＳＣセンサは、欧州特許出願番号14186956号に示され、この出願の全開示は、参照することにより本明細書に組み込まれる。
【００１４】
ある実施例によれば、ＨＲ及び/又はＨＲＶに関するデータは、例えばマイクロＳＤカードを用いて記憶されてよく、及び/又は例えばBluetooth（登録商標）リンクを介して受信局、例えば携帯電話又は他の通信／ネットワーク装置に送信されてもよい。
【００１５】
限定ではない実施例を特徴付けるこれら及び他の特徴並びに利点は、以下の詳細な説明を読むこと及び関連する図面をレビューすることにより明らかである。上述した概要及び以下の詳細な説明は共に、単に例示的なものであり、請求する限定ではない実施例の制限ではないと理解されるべきである。
【図面の簡単な説明】
【００１６】
【図１】鼓動検出装置のブロック図である。
【図２】異なる刺激の下での皮膚コンダクタンスセンサの出力のグラフである。
【図３】鼓動検出方法のフローチャートである。
【図４】鼓動検出方法のフローチャートである。
【図５】本明細書で論じられた技術を実施するのに使用されるコンピュータシステムのブロック図である。
【発明を実施するための形態】
【００１７】
図面において、同様の参照文字は一般に、異なる図面を通じて対応する部品のことを指している。これら図面は、必ずしも正確な縮尺ではなく、それより寧ろ動作の原理及び概念に重きが置かれている。
【００１８】
本開示の方法及び装置は、以下により詳細に論じされる。限定ではない及び完全に網羅されていない例は、付随する図面を参照して説明される。
【００１９】
様々な実施例は、付随する図面を参照して以下により十分に説明され、これら図面は、前記実施例の一部を形成し、特定の例示的な実施例を示す。しかしながら、本開示の概念は、多くの異なる形式で実施されてもよく、本明細書に述べた実施例に限定されると解釈されるべきではなく、寧ろこれらの実施例は、本開示の概念、技術及び実施の範囲を当業者に十分に伝えるために、詳細及び完全な開示の一部として提供される。実施例は、方法、システム又は装置として実行される。それに応じて、実施例は、ハードウェア実装、完全なソフトウェア実装又はソフトウェア及びハードウェアの態様を組み合わせた実装の形式でもよい。以下の詳細な説明は故に、限定の意味にとるべきではない。
【００２０】
明細書における"１つの実施例"又は"実施例"の言及は、これら実施例と組み合わせて説明される特定の特徴、構成又は特性が本開示に従う少なくとも１つの例示的な実装又は技術に含まれることを意味する。明細書の様々な場所で"１つの実施例において"と言う用語の使用は、必ずしも全て同じ実施例を参照しているのではない。
【００２１】
後続する説明の幾つかの部分は、動作の象徴の観点から、コンピュータメモリ内に記憶される非一時的な信号に示される。これらの記述及び表現は、データ処理技術の当業者の作業の内容を他の当業者に最も効率よく伝えるために、これら当業者により使用される。このような動作は通例、物理量の物理的処理を必要とする。通常、必ずしも必要ではないが、これらの量は、記憶される、転送される、結合される、比較される及び別の方法で処理されることが可能である電気、磁気又は光学信号の形式をとる。原則的に一般的な使用を理由に、時にはこれらの信号をビット、値、要素、記号、文字、用語又は番号等と呼ぶことが便利である。その上、時には、物理量の物理的処理を要求するステップのある配置を一般性を失うことなくモジュール又はコード装置と呼ぶことも便利である。
【００２２】
しかしながら、これら及び類似の用語の全ては、適切な物理量と関連付けられるべきであり、これらの物理量に適用される単なる便利なラベルである。以下の議論から明らかであるように特に他に述べない限り、明細書にわたり、例えば"処理する"、"計算する"、"演算する"、"決定する"又は"表示する"等のような用語を利用する説明は、コンピュータシステムのメモリ若しくはレジスタ、又は他の上記情報の記憶、送信又は表示装置内における物理（電子）量として表されるデータを処理及び変換するコンピュータシステム又は類似の電子計算装置の行動及び処理を言及していることが分かる。本開示の一部は、ソフトウェア、ファームウェア又はハードウェアに組み込まれ、ソフトウェアに組み込まれるとき、様々なオペレーティングシステム（ＯＳ）により使用される異なるプラットフォームに常駐する、及び異なるプラットフォームから動作されるために、ダウンロードされる処理及び命令を含んでもよい。
【００２３】
本開示は、本明細書における動作を行うための装置も言及している。この装置は特に、要求される目的に対し構成されるか、又はコンピュータに記憶されるコンピュータプログラムにより選択的に作動する又は再構成される汎用のコンピュータを有してもよい。そのようなコンピュータプログラムは、コンピュータ可読な記憶媒体、例えば限定ではないが、フロッピー（登録商標）ディスク、光ディスク、ＣＤ−ＲＯＭ、光磁気ディスク、ＲＯＭ、ＲＡＭ、ＥＰＲＯＭ、ＥＥＰＲＯＭ、磁気若しくは光学カード、特定用途向け集積回路（ＡＳＩＣ）又は電子命令を記憶するのに適した如何なる種類の媒体に記憶されてもよく、これら各々はコンピュータのシステムバスに結合されてもよい。その上、明細書に言及されるコンピュータは、１つの処理器を含んでもよいし、計算能力を増大させるために複数の処理器の設計を用いるアーキテクチャでもよい。
【００２４】
本明細書に示される処理及び表示は、如何なる特定のコンピュータ又は他の装置に本質的に関係していない。様々な汎用のシステムも本明細書における教えに従うプログラムを用いて使用されてもよいし、又は１つ以上の方法のステップを行うためのより専門化した装置を構成するのに便利であることを証明している。様々なこれらのシステムに対する構成は、以下の記載において論じられている。加えて、本開示の技術及び実施を達成するのに十分である如何なる特定のプログラム言語が使用されてもよい。様々なプログラム言語は、本明細書に論じられるように、本開示を実施するのに使用されてもよい。
【００２５】
加えて、本明細書に用いられる言語は原則的に、可読性及び教授を目的に選択され、開示される内容を正確に説明する又は制限するために選択されない。それにより、本開示は、説明的であり、本明細書に論じられる概念の範囲の限定ではないことを意図する。
【００２６】
本開示は、心拍数（ＨＲ）及び/又は心拍変動（ＨＲＶ）を検出するためのセンサ及び/又は検知技術に関する。本開示の幾つかの実施例は、ＨＲ及び/又はＨＲＶを決定するのに使用される鼓動を検知するための複数のセンサ及び/又は検知技術を使用する。幾つかの実施例によれば、１つ以上の皮膚コンダクタンス（ＳＣ）センサが用いられ、人間を含む、生きている被験者、例えば動物の鼓動及び/又は心臓の拍動間隔（ＩＢＩ）を検出及び/又は測定するために、１つ以上の光電脈波（ＰＰＧ）センサと共に使用されてもよい。これらの実施例は、被験者にウェアラブルである及び/又はポータブルでもよい。例えば、開示される方法及び装置は、例えば人間用のリストバンドのような外肢の周りにバンドとして実装することを含む、人間の身体に取り付けることにより実施されてもよい。これら方法及び装置は、電子機器及び/又はソフトウェアと共に実施されてもよいし、拍動間隔（ＩＢＩ）を正確に測定する一方、電力の使用を最小にするように最適化されてもよい。例えば、被験者の高い活動エピソード中、ＳＣは鼓動を検出するのに使用される。被験者の低い活動エピソード中、光電脈波計が鼓動を検出するのに使用される。本明細書に論じられる実施例は、より高い若しくはより低い感度、電力の使用及び/又は検知範囲を持つために、１つ以上のセンサを変更してもよい。例えば、ＰＰＧセンサの場合、１つ以上のＰＰＧセンサの光出力、スペクトル又は感度は、低い活動期間中に、例えば増大又は減少することにより変更されてもよい。このような変更は行われる一方、一定レベルの精度を維持する及び/又は精度を失わない。
【００２７】
本開示の幾つかの実施例は、動きセンサ、例えば加速度計を含んでもよい。この動きセンサは、１次元以上の動きを検知することが可能である。動きセンサは、ＰＰＧのＨＲの検出又は測定から動きアーチファクトを減らすのに使用されるデータを取り込むために用いられる。他の実施例は、そのようなセンサを省略するか、又はそのような動きセンサの使用をあきらめるかである。幾つかの実施例によれば、動きアーチファクトが検出されるとき、制御器は、ＰＰＧの検知又は測定からＳＣの検知又は測定に切り替えるのに使用される。動きアーチファクトは、ＰＰＧセンサにより供給される信号から検出されることがある。
【００２８】
ＳＣセンサは、血圧の検知の代用となる、皮膚コンダクタンスの応答立ち上がり時間(response rise times)を測定するのに適応する。例えば、皮膚コンダクタンスは、拡張期血圧を含む血圧を決定するのに使用される心血管イベントを検出するのに使用される。ＳＣセンサは通例、少なくとも１ナノジーメンス未満の精度で、毎秒数十回から数百回にわたり皮膚コンダクタンスをサンプリングする。幾つかの実施例において、ＳＣセンサの出力は、例えば凡そこのＳＣセンサのサンプリングレートのカットオフ周波数を持つローパスフィルタを用いてフィルタリングされる。
【００２９】
図１を参照すると、ＨＲ及び/又はＨＲＶを検知するための装置１００がブロック図形式で例示される。装置１００は、処理器１１０、ＰＰＧセンサ１１２、ＳＣセンサ１１４、記憶装置１１６及びユーザインタフェース１２０を含む。記憶装置１１６は、装置１００と共に使用可能である如何なる種類の媒体でもよく、ソフトウェア１１８を記憶している。ソフトウェア１０８は、他の機能と同様に、ＨＲ及び/又はＨＲＶ検知機能を実施するために、処理器１１０により実行される命令を含んでいる。ＰＰＧセンサ１１２及びＳＣセンサ１１４は各々１つ以上の構成センサから成ってもよい。装置１００は任意で加速度計１２２を含んでもよく、加速度計は任意であることを示すために破線で示される。
【００３０】
処理器１１０は、ＰＰＣセンサ１１２、ＳＣセンサ１１４及び/又はユーザインタフェース１２０の制御器として動作する。処理器１１０は、ＰＰＧセンサ１１２、ＳＣセンサ１１４及び/又はユーザインタフェース１２０から信号を受信する及びこれらに信号を送信する。例えば、処理器１１０は、ＰＰＧセンサ１１２及び/又はＳＣセンサから未処理のセンサデータを受信してもよいし、及び/又はこれらのセンサから、フィルタリングされた又は処理されたデータを与える信号を受信してもよい。処理器１１０は、ＰＰＧセンサ１１２及び/又はＳＣセンサ１１４からの信号を記憶装置１１６に記憶してもよい。ソフトウェア１１８は、処理器１１０により入手及び使用され、記憶装置１１６及び/又はユーザインタフェース１２０と一緒に使用される機能を含む、ＰＰＧセンサ１１２及び/又はＳＣセンサ１１４を制御すること、及び/又は信号若しくはデータを処理することに関して所望する機能を行う。処理器１１０は、検知データを得ること、センサ内の機能をオン若しくはオフにすること、又はセンサをオン若しくはオフにすることを含む、様々な機能を達成するようにＰＰＧセンサ１１２及び/又はＳＣセンサ１１４を制御する。加速度計１２２が装置１００に含まれる場合、処理器１１０は、加速度計１２２に信号を送る及び加速度計１２２から信号を受信してもよい。加速度計１２２から受信した信号は、未処理のセンサデータ及び/又はフィルタリング若しくは処理されたセンサデータを含んでもよい。例示的な実施によれば、加速度計１２２からのデータは、センサ間で切り替えさせる又は動きアーチファクトの影響を減らすのに使用される。
【００３１】
処理器１１０は、ＰＰＧセンサ１１２及び/又はＳＣセンサ１１４、及び/又は加速度計１２２から受信される信号に基づいて、装置１００の動作の変更をさせるために、ソフトウェア１１８を実行することができる。例えば、処理器１１０は、ＰＰＧセンサ１１２からの信号を解析し、動きアーチファクトの存在又はＨＲ及び/又はＨＲＶを決定するのに信頼できる信号の欠損を決定することができる。そのような決定の際、処理器１１０は、ＨＲ及び/又はＨＲＶを決定するのにＰＰＧセンサ１１２からの信号を無視する及び/又はセンサからの出力を不能にする、ＰＰＧセンサ１１２を遮断する若しくは電力を節約するためにＰＰＧセンサを低電力モードにすることができる。処理器１００は、ＨＲ及び/又はＨＲＶを決定するのに使用される信号に対する一次供給源としてＳＣセンサ１１４の使用を開始し、これはＳＣセンサ１１４をオンにする、センサの出力を不能にする、低出力モードから高出力モードに変更する、又はＰＰＧセンサが信頼できない信号を供給するとき、ＳＣセンサ１１４からの信号を利用するための他の如何なる変更若しくは切り替え動作を含む。
【００３２】
処理器１１０が行うこの切り替え動作は、設計目標を満たすための装置１００の動作における制御される変更である。１つの例によれば、この制御される変更は、ＰＰＧセンサ１１２及び/又はＳＣセンサ１１４の１つ以上をオン又はオフにする、或いは１つ以上のセンサを電出力モードにすることである。制御される変更は、どのセンサ、どのセンサ信号又はどの検知技術が鼓動を検出及び/又は測定するのに使用されるかを選択することでもよい。設計目標は、高度の信頼性、最適化された電力消費又は装置１００の所望する動作に関する他の如何なる目標を得ることでもよい。
【００３３】
切り替え動作は、多数の技術及び/又は基準に従って実施されることができる。１つの例によれば、処理器１１０は、ＰＰＧセンサ１１２及び/又はＳＣセンサ１１４からの信号を監視して、一方又は両方のセンサから得られた信号からＨＲ及び/又はＨＲＶを決定する。処理器１１０は、ＰＰＧセンサ１１２及び/又はＳＣセンサの１つ以上からの信号が鼓動を検出する及び/又は測定するのに信頼できなくなった、又はＨＲ及び/又はＨＲＶの計算に使用するのに信頼できなくなったときを決定する。例えば、処理器１１０は、ＰＰＧセンサ１１２からの出力信号がこの出力信号を歪ませる動きアーチファクトを含むときを決定することができる。処理器１１０によるセンサ信号の信頼度の決定は、ＨＲ及び/又はＨＲＶを計算するのに使用される検知技術に従って、低い信号品質又は信頼できる信号の欠損を示す基準に対し、前記センサからの信号を解析することにより達成されることができる。
【００３４】
図２を参照すると、皮膚コンダクタンスセンサの出力のトレース波形２００が例示される。波形２００は、ＳＣセンサ１１４から得られる。０秒から１５秒に対応する、ｘ軸上にある０から１５０までの時間期間から、皮膚コンダクタンスセンサが付けられた被験者は静止している。ｘ軸上の１５０辺りで、被験者は動き始め、安定した速度で歩いている。鼓動により生じる信号おけるリップルは、被験者が動き続けているので、ｘ軸上の約１７５から５００までの時間フレームにわたり顕著になる。処理器１１０（図１）は、ＳＣセンサ１１４から、波形２００により表される信号を受信し、鼓動の兆候を得るために、前記信号に処理を行い、それによりＨＲ及び/又はＨＲＶが決定される。その代わりに又はそれに加えて、ＳＣセンサ１１４は、未処理のセンサ信号を処理し、その信号がＳＣセンサ１１４により検出されるとき、鼓動を示す信号を処理器１１０に供給する。
【００３５】
１つの例示的な実施において、ＳＣセンサ１１４は、高精度で及び比較的に高速で皮膚コンダクタンスを検出及び/又は測定する。ＳＣセンサ１１４は、分別検出及び/又は測定を含む、アンチエイリアシングフィルタ及び/又はバランスフローティング設計を含むカスタマイズした検知電子装置を用いて設計されてもよい。未処理のアナログ信号からデジタル信号に変換するために、ＳＣセンサ１１４によりデジタルフィルタが用いられてもよく、これはアナログ−デジタル変換器を用いて実施される。デジタル及び/又はフィルタリングされた信号は、鼓動に関係するピークを含み、故にそこから鼓動が抽出される信号を示す。ＨＲ及び/又はＨＲＶは、これらピークのタイムスタンプから得られる。
【００３６】
ＳＣセンサ１１４が付けられた被験者が動き始める、例えば歩き始めるので、被験者の鼓動により生じるリップルは、ＳＣセンサ１１４の出力信号において特に顕著になる。ハイパスフィルタが前記出力信号に適用され、カットオフ周波数は、正常な人間の鼓動、例えば約１Ｈｚに近い。この又は他のフィルタリングは、検査中にゆっくりとした皮膚コンダクタンスレベルの変動を鼓動イベントから分離する。信号処理技術がフィルタリングされた信号に適用され、鼓動の谷の最小のタイムスタンプを得る。これはＩＢＩを得るのに用いられる。ＨＲ及び/又はＨＲＶは、ＩＢＩから導出される。フィルタリング、信号処理、計算及び/又は上述した他の機能は、ＳＣセンサ１１４により行われてよく、又は処理器１１０或いはもう１つの構成要素若しくは構成要素の組み合わせにより同時に又は別々に行われてもよい。故に、鼓動、ＩＢＩ、ＨＲ及び/又はＨＲＶのために得られたデータは、記憶装置１１６及び/又は他の媒体、例えばマイクロＳＤカードに記憶されることができる。このデータはさらに又はその代わりに、例えばBluetooth（登録商標）リンクであるワイヤレスリンクのような通信リンクを介して、受信局、例えばBluetooth（登録商標）を装備する携帯電話に送信されてもよい。
【００３７】
低い活動期間中、例えば睡眠周期中、皮膚コンダクタンスの鼓動の減衰は比較的にかなり小さくなる。その期間中に皮膚コンダクタンスを用いて鼓動が検出されてもよいが、鼓動を検出するのに使用されるセンサ信号におけるリップルは、さらに検出が難しい。その期間中、本開示の実施例は、ＩＢＩを決定するために、ＳＣセンサ１１４の使用からＰＰＧセンサ１１２の使用に切り替える。この切り替えは、消費される電力を減らし、装置１００にあるバッテリーの寿命を延ばすのに貢献するか、又は装置１００の寿命を延ばす。
【００３８】
ＰＰＧセンサ１１２は、動きアーチファクトが存在していないとき、低出力モードで動作する。通例、ＰＰＧ検知の信頼性は、観察される被験者に関して姿勢の変化により低下する。被験者が動くので、動きアーチファクトは、ＰＰＧセンサ１１２の出力信号に現れる。従って、被験者が動いているとき、ＰＰＧセンサ１１２の出力信号における動きアーチファクトの影響を取り除く又は減らすために、補正又は補償が適用される。補正又は補償は、加速度計１２２から得られ、この加速度計１２２は、装置１００の動きを検出し、信号を処理器１１０に供給して、装置１００の運動の時間、方向及び/又は大きさを示すことができる。ＰＰＧセンサ１１２が運動していない被験者と共に使用されるとき、補正又は補償は必要なく、故に低出力の使用となる。例示的な実施によれば、処理器１１０は、ＰＰＧセンサ１１２からの出力信号を解析し、動きアーチファクトを検出すると、鼓動を検出及び/又は測定するために、ＳＣセンサ１１４から出力信号を選択する。従って、この例示的な実施において、ＰＰＧセンサ１１２は、被験者が休んでいるときに鼓動を検出するのに使用され、ＳＣセンサ１１４は被験者が動いているときに鼓動を検出するのに使用される。
【００３９】
装置１００の動作の他の種類の切り替え又は変更が実施されてもよい。例えば、処理器１１０は、ＳＣセンサ１１４からの出力信号を解析し、鼓動を示す波形のリップルの有無を決定する。そのような解析は、出力信号を上述したようにフィルタリングし、フィルタリングされた信号においてピーク又は谷を検出することにより実行される。フィルタリングされた信号においてピーク又は谷が検出されない場合、処理器１１０は、ＰＰＧセンサからの出力信号を使用し始めて、被験者からの鼓動を検出する。処理器１１０はさらに、ＳＣセンサ１１４をオフにするか、又はこのセンサを低出力モードにする。
【００４０】
図３を参照すると、フローチャート３００は、鼓動を検出及び/又は測定するための例示的な処理を例示している。この処理は、ブロック３１０で示されるように、ＰＰＧセンサ１１２でもよいＰＰＧセンサから出力を得ることから始まる。このＰＰＧセンサの出力は、ブロック３１２に例示されるように、フィルタリングされるか、又は例えば動きアーチファクトを検出するための処理のような何らかの種類の補償が適用されてもよい。ＰＰＧセンサの出力において動きアーチファクトが検出される場合、鼓動を検出するための装置は、その動作を変更することができる。ＰＰＧセンサの出力において動きアーチファクトが検出されるかの決定は、決定ブロック３１４を用いて例示される。動きアーチファクトが検出されない場合、決定ブロック３１４の"ｎｏ"の分岐から到達されるブロック３２６により例示されるように、ＰＰＧセンサは、他の鼓動検知のために選択される。
【００４１】
ＰＰＧセンサセンサの出力において動きアーチファクトが検出される場合、決定ブロック３１４の"Ｙｅｓ"の分岐から到達されるブロック３１６により例示されるように、ＳＣセンサの出力が読み取られる。このＳＣセンサは、ＳＣセンサ１１４として実施されてもよい。ＳＣセンサの出力は、ブロック３１８に例示されるように、フィルタリングされるか、又は例えば鼓動を示す波形のリップルを検出する処理のような何らかの種類の補償が適用されてもよい。ＳＣセンサの出力が波形のリップルを含んでいるかの決定は、決定ブロック３２０に例示される。ＳＣセンサの出力において、波形のリップルが検出されない場合、ＰＰＧセンサは、決定ブロック３２０の"ｎｏ"の分岐から到達されるブロック３２６により例示されるように、ＰＰＧセンサは、鼓動を検出及び/又は測定するために選択される。そうでなく、ＳＣセンサの出力において、波形のリップルが検出される場合、決定ブロック３２０の"Ｙｅｓ"の分岐を介して到達されるブロック３２２により例示されるように、ＳＣセンサは、他の鼓動検知のために選択される。ブロック３２６又はブロック３２２の何れか一方において、鼓動のセンサを選択した後、鼓動検知処理は、ブロック３２４に例示されるように、選択したセンサから鼓動を検出及び/又は測定する。この処理は、ブロック３２４からブロック３１０へのフローチャート経路を用いて例示されるように、ＰＰＧセンサを読み取るために、ループバックすることにより続く。
【００４２】
フローチャート３００に例示される処理は、決定ブロック３１４に例示されるように、動きアーチファクトに対し最初にＰＰＧセンサが検査されるので、ＰＰＧセンサの使用を好む傾向がある。他の例によれば、フローチャート３００に例示される処理が、最初にＳＣセンサが検査される、又はＰＰＧセンサと同時に検査されるために再配列されることができる。センサ間の切り替えは、ＰＰＧセンサの出力において、動きアーチファクトが検知される若しくは動きアーチファクトが無いと検知されるとき、又はＳＣセンサの出力において、波形のリップルが検知される若しくは波形のリップルが無いと検知されるときに実施される。加えて、フローチャート３００に例示される処理におけるセンサの選択は、これらセンサをオンにする及び/又はこれらセンサをオフにする、又は低出力モードから高出力モード或いはその反対に変更することとして実施されてもよい。例えば、ブロック３２６に例示されるＰＰＧセンサの選択は、ＳＣセンサをオフにする、ＳＣセンサを低出力モードにする、鼓動を検出及び/又は測定するためにＳＣセンサの出力を無視することにより実施されてもよい。ブロック３２２に例示されるＳＣセンサの選択は、ＰＰＧセンサをオフにする、ＰＰＧセンサを低出力モードにする、又は鼓動を検出及び/又は測定するためにＰＰＧセンサの出力を無視することにより実施されてもよい。
【００４３】
図４を参照すると、フローチャート４００は、鼓動を検出及び/又は測定するための例示的な処理を例示している。この処理は、ブロック４１０で示されるように、ＰＰＧセンサ１１２でもよい、ＰＰＧセンサから出力を得ること、及びブロック４３０で示されるように、ＳＣセンサ１１４でもよい、ＳＣセンサから出力を得ることから始まる。ＰＰＧセンサの出力は、ブロック４１２に説明されるように、フィルタリングされるか、又は例えば動きアーチファクトを検出するための処理のような何らかの補償を適用する。ブロック４１４で例示されるように、ＰＰＧセンサを用いた鼓動の検出及び/又は測定が試みられている。ＰＰＧセンサの出力において、動きアーチファクトが検出される場合、鼓動を検出する装置は、その動作を変更することができる。ＰＰＧセンサの出力において、動きアーチファクトが検出されるかの決定は、決定ブロック４１６で例示される。動きアーチファクトが検出されない場合、さらなるＰＰＧセンサの読み取りを得るために、ブロック４１０に戻る、決定ブロック４１６からの"ｎｏ"の分岐により例示されるように、ＰＰＧセンサを用いてさらなる鼓動の検出及び/又は測定が行われる。
【００４４】
ブロック４３０で例示されるように、ＳＣセンサが読み取られるとき、このＳＣセンサの出力は、ブロック４３２に例示されるように、フィルタリングされるか、又は例えば鼓動を示す波形のリップルを検出するための処理のような何らかの種類の補償が適用される。ブロック４３４で例示されるように、ＳＣセンサを用いた鼓動の検出及び/又は測定が試みられている。ＳＣセンサの出力が波形のリップルを含むかの決定は、決定ブロック４３４に例示される。波形のリップルが検出される場合、さらなるＳＣセンサの読み取りを得るために、ブロック４３０に戻る、決定ブロック４３６からの"Ｙｅｓ"の分岐により例示されるように、ＳＣセンサを用いてさらなる鼓動の検出及び/又は測定が行われる。
【００４５】
ＰＰＧセンサの出力において、動きアーチファクトが検出される場合、鼓動検知装置の動作は変更されることができる。フローチャート４００に例示される処理において、ＰＰＧセンサは、決定ブロック４１６の"Ｙｅｓ"の分岐から到達されるブロック４１８で例示されるように、低出力モードにされる又は電源がオフにされる。加えて、ブロック４２０に例示されるように、ＳＣセンサの出力を上げる(powered up)。ＳＣセンサの出力を上げることは、低出力モードから高出力モードに変更する、ＳＣセンサをオンにする、又はＳＣセンサの出力を鼓動の検出及び/又は測定に使用されることを可能にすることにより実施される。ＳＣセンサの出力を上げるのに続いて、フローチャート４００におけるブロック４２０からブロック４３０への経路を用いて例示されるように、センサの出力が読み取られる。
【００４６】
ＳＣセンサに関して、ＳＣセンサの出力において、波形のリップルが検出されない場合、鼓動検知装置の動作は変更されることができる。フローチャート４００に例示される処理において、決定ブロック４３６の"ｎｏ"の分岐から到達されるブロック４３８で例示されるように、ＳＣセンサは低出力モードにされる又は電源がオフにされる。加えて、ブロック４４０に例示されるように、ＰＰＧセンサの出力が上げられる。ＰＰＧセンサの出力を上げることは、低出力モードから高出力モードに変更する、ＰＰＧセンサをオンにする、又はＰＰＧセンサの出力を鼓動の検出及び/又は測定に使用されることを可能にすることにより実施される。ＰＰＧセンサの出力を上げるのに続いて、フローチャート４００におけるブロック４４０からブロック４１０への経路を用いて例示されるように、センサの出力が読み取られる。
【００４７】
フローチャート４００に例示される処理は、鼓動検知装置に異なる動作のモードを提供することができ、これら動作のモードは、装置１００（図１）において実施されてもよい。第１のモードにおいて、ＰＰＧセンサの出力において動きアーチファクトが存在せず、ＳＣセンサの出力において波形のリップルが存在するとき、各々のセンサは、鼓動のデータを供給するために、独立して及び同時に動作することができる。第２のモードにおいて、ＰＰＧセンサの出力において動きアーチファクトが観測され、ＰＰＧセンサはオフになる又は低出力状態となるのに対し、ＳＣセンサの出力において波形のリップルが観測され、このセンサは正常状態で動作し続ける。第３のモードにおいて、ＰＰＧセンサの出力において動きアーチファクトは観測されず、このセンサは正常状態で動作し続けるのに対し、ＳＣセンサの出力から波形のリップルが無くなり、ＳＣセンサはオフになる又は低出力状態となる。第４のモードにおいて、ＰＰＧセンサの出力において動きアーチファクトが観測され、ＳＣセンサの出力から波形のリップルが無くなり、これらセンサは、交互に出力を上げた状態と出力を下げた状態との間で切り替えられる。この切り替えの状態は、ＰＰＧセンサの出力において動きアーチファクトが観察されなくなるまで、又はＳＣセンサの出力において波形のリップルが観測されるまでの何れか一方になるまで続く。それに応じて、フローチャート４００に例示される処理は、鼓動のデータを最も上手く供給することができるセンサの出力を使用し、良好な鼓動のデータ供給源が特定され得るまで、これらセンサ間で切り替える。
【００４８】
図５に例示されるようなコンピュータシステムは、先に説明した装置又は方法の幾つかを組み込む又は実装してもよい。図５は、本明細書に説明されるように、他の様々な実施例により提供される方法を行うことが可能である、及び/又はホストコンピュータシステム、遠隔キオスク／端末、ＰＯＳ(point-to-sale)装置、モバイル装置及び/又はコンピュータシステムとして機能することが可能であるコンピュータシステム５００の１つの実施例の概略的な例示を提供する。図５は、それらの何れか若しくは全てが必要に応じて利用される様々な構成要素の一般化した例示を単に提供することを意味していることに注意されるべきである。故に、図５は、個々のシステムの要素が相対的に別々である方法又は相対的により一体化した方法で実施される方法を大まかに例示したものである。
【００４９】
バス５０５を介して電気結合される（又は必要に応じて別の方法で通信する）ハードウェア要素を有するコンピュータシステム５００が示される。これらハードウェア要素は、限定ではないが、１つ以上の汎用の処理器及び/又は１つ以上の専用の処理器（例えばデジタル信号処理チップ及び/又はグラフィック高速処理器等）を含む１つ以上の処理器５１０、限定ではないが、マウス及び/又はキーボード等を含む１つ以上の入力装置５１５、並びに限定ではないが、ディスプレイ装置及び/又はプリンター等を含む１つ以上の出力装置５２０を含む。
【００５０】
コンピュータシステム５００はさらに、限定ではないが、ローカル及び/又はネットワークアクセス可能な記憶装置を有する及び/又は限定ではないが、ディスクドライブ、ドライブアレイ、光学記憶装置、例えばＲＡＭ及び/又はＲＯＭのような、プログラム可能である及び/又はフラッシュアップデート可能(flash-updatable)等であるソリッドステート記憶装置を有することができる１つ以上の非一時的な記憶装置５２５を含む（及び/又はそれらと通信する）。そのような記憶装置は、限定ではないが、様々なファイルシステム及び/又はデータベース構造等を含む、如何なる適切なデータ記憶を実施するように構成されてもよい。
【００５１】
コンピュータシステム５００は、限定ではないが、モデム、（ワイヤレス若しくは有線用の）ネットワークカード、赤外線通信装置、ワイヤレス通信装置及び/又はチップセット等（例えばBluetooth（登録商標）装置、802.11装置、Wi-Fi装置、WiMax装置、セルラー通信施設等）を含む通信サブシステム５３０を含んでもよい。この通信サブシステム５３０は、ネットワーク（例えば一例を挙げると以下に記載されるネットワーク）、他のコンピュータシステム及び/又は本明細書に記載される他の如何なる装置を用いてデータが交換されることを可能にする。多くの実施例において、コンピュータシステム５００はさらに、上述したように、ＲＡＭ又はＲＯＭ装置を含むことができる作業メモリ５３５を有する。
【００５２】
コンピュータシステム５００は、作業メモリ５３５内に現在置かれているように示される、オペレーティングシステム（ＯＳ）５４０、装置ドライバ、実行可能なライブラリ及び/又は他のコード、例えば様々な実施例により提供されるコンピュータプログラムを有する、及び/又は本明細書に開示されるような他の実施例により提供される、方法を実施する及び/又はシステムを構築するように設計される１つ以上のアプリケーションプログラム５４５を含む、ソフトウェア要素を有することも可能である。単に一例として、上述した方法に関して開示された１つ以上の手続きは、コンピュータ（及び/又はコンピュータ内の処理器）により実行可能なコード及び/又は命令として実施されてもよく、次いでこの形態において、このようなコード及び/又は命令は、開示される方法に従って１つ以上の動作を行うために、汎用のコンピュータ（又は他の装置）を構築及び/又は適応させるのに使用されることができる。
【００５３】
これらの命令及び/又はコードの組は、例えば上述した記憶装置５２５のような、コンピュータ可読な記憶媒体に記憶されてもよい。場合によっては、この記憶媒体は、例えばシステム５００のようなコンピュータシステム内に実装されてもよい。他の実施例において、前記記憶媒体は、コンピュータシステムから分離してもよく（例えばＣＤのような取り外し可能な媒体でもよく）及び/又は記憶媒体がそれに記憶される命令／コードを用いて、汎用のコンピュータをプログラム、構築及び/又は適応させるのに使用されるようなインストールパッケージに設けられてもよい。これらの命令は、コンピュータシステム５００により実行可能である実行可能なコードの形式でもよいし、及び/又は（例えば様々な一般に入手可能なコンパイラ、インストールプログラム、圧縮／解凍ユーティリティ等の何れかを用いて）コンピュータシステム５００にコンパイル及び/又はインストールされると、実行可能なコードの形式となるソース及び/又はインストール可能なコードの形式でもよい。
【００５４】
特定の要件に従って相当な変更が行われることは当業者には明らかである。例えば、カスタマイズされたハードウェアが使用されてもよいし及び/又は特定の要素がハードウェア、（例えばアプレットのようなポータブルソフトウェア等を含む）ソフトウェア又はその両方に実装されてもよい。さらに、例えばネットワーク入力／出力装置のような他の計算装置との接続が用いられてもよい。
【００５５】
上述したように、コンピュータシステム（例えばコンピュータシステム５００）は、様々な実施例に従って方法を行うのに用いられてもよい。ある組の実施例に従って、上記方法の手続きの幾つか又は全てが作業メモリ５３５に含まれる（ＯＳ５４０及び/又は例えばアプリケーションプログラム５４５のような他のコードに実装される）１つ以上の命令からなる１つ以上のシーケンスを処理器５１０が実行するのに応じて、コンピュータシステム５００により行われる。このような命令は、もう１つのコンピュータ可読な媒体、例えば１つ以上の記憶装置５２５から作業メモリ５３５内に読み込まれてもよい。単なる一例として、作業メモリ５３５に含まれる命令のシーケンスの実行は、処理器５１０に本明細書に記載される方法の１つ以上の手続きを行わせる。
【００５６】
本明細書に用いられる"機械可読な媒体"及び"コンピュータ可読な媒体"という用語は、機械を特定の方式で動作させるデータを供給することに関係する如何なる媒体を言及している。本開示の幾つかの実施例において、機械可読な媒体は、心拍数及び/又は心拍変動を検出する機能、例えば方法を行うための機械実行可能な命令を含む。コンピュータシステム５００を使用して実施される実施例において、様々なコンピュータ可読な媒体は、命令／コードを実行するための処理器５１０に供給するのに関連する及び/又は（例えば信号として）上記命令／コードを記憶及び/又は搬送するのに使用される。多くの実施において、コンピュータ可読な媒体は、物理的及び/又は有形の記憶媒体である。そのような媒体は、限定ではないが、不揮発性媒体、揮発性媒体及び伝送媒体を含む多くの形式としてもよい。不揮発性媒体は、記憶装置５２５のような、例えば光及び/又は磁気ディスクを含む。揮発性媒体は、限定ではないが例えば作業メモリ５３５のようなダイナミックメモリを含む。伝送媒体は、限定ではないが通信サブシステム５３０の様々な構成要素（及び/又は通信サブシステム５３０が他の装置との通信を提供する媒体）と同じく、バス５０５を有するワイヤーを含む、同軸ケーブル、銅線及び光ファイバーを含む。故に、伝送媒体は、（限定ではないが、電波、音波及び/又は光波、例えば電波及び赤外線データ通信中に発生するものを含む）波の形式とすることができる。
【００５７】
コンピュータ可読な媒体の様々な形式は、実行するための処理器５１０に１つ以上の命令からなる１つ以上のシーケンスを搬送することに関連する。単なる一例として、これら命令は最初に、遠隔コンピュータの磁気ディスク及び/又は光ディスクに担持される。遠隔コンピュータは、命令をダイナミックメモリにロードし、伝送媒体を介してコンピュータシステム５００により受信及び/又は実施される命令を信号として送る。電磁信号、音響信号及び/又は光信号等の形式であるこれらの信号は、命令がエンコードされる、及び本開示に従う幾つかの実施例に用いられる搬送波の全ての例である。
【００５８】
通信サブシステム５３０（及び/又はその構成要素）は一般に、前記信号を受信し、次いでバス５０５は、これら信号（及び/又はこれら信号により搬送されるデータ、命令等）を作業メモリ５３５に搬送し、処理器５０５は、この作業メモリ５３５から命令を抽出及び実行する。作業メモリ５３５により受信される命令は、処理器５１０による実行の前又は後の何れか一方において、記憶装置５２５に任意に記憶される。
【００５９】
本出願は、２０１４年９月３０日に出願した欧州特許出願番号14186956を参照することにより、その全てを述べたかのように参照することにより本明細書に組み込まれる上記出願の全ての開示を組み込む。
【００６０】
上述した方法、システム及び装置は例である。様々な構成は、必要に応じて、様々な手続き又は構成要素を省略、構成又は追加してもよい。例えば、代替実施例において、方法は、記載したのと異なる順番で行われてもよいし、その様々なステップが加えられる、省略される又は組み合わされてもよい。さらに、ある構成に関して述べた特徴は、他の様々な形状に組み合わされてもよい。これら構成の異なる態様及び要素は、類似する方法で組み合わされてもよい。さらに、技術が進化し、故に要素の多くは例であり、本開示又は請求項の範囲を限定しない。
【００６１】
さらに、構成は、流れ図又はブロック図として示される処理として開示されてもよい。各々が動作を逐次的な処理として説明していたとして、これら動作の多くは、並行して又は同時に行われることができる。加えて、動作の順番が再配列されてもよい。処理は、図面に含まれていない追加の段階又は機能を持ってもよい。
【００６２】
ある値が第１のしきい値を超える（又はそれよりも多い）と述べることは、その値は第１のしきい値よりも僅かに大きい第２のしきい値、例えば適切なシステムの分解能において第１のしきい値よりも１つ高い値である第２のしきい値を満たす又は超えることを述べたことと同義語である。ある値が第１のしきい値よりも小さい（又はそのしきい値内にある）と述べることは、その値は第１のしきい値よりも僅かに小さい第２のしきい値、例えば適切なシステムの分解能において第１のしきい値よりも１つ低い値である第２のしきい値より低い又はその値に等しいことを述べたことと同義語である。
【００６３】
具体的な詳細は、（実施を含む）例示的な構成の全体的な理解を提供するため本説明に示される。しかしながら、これらの具体的な詳細を無しに構成が実施されてもよい。例えば、良く知られた回路、処理器、アルゴリズム、構造及び技術は、これら構成を不明瞭にするのを避けるために、不要な詳細を用いずに示される。本説明は、単に例示的な構成を提供するだけであり、請求項の範囲、適用可能性又は構造を制限しているのではない。寧ろ、これら構成の前述した説明は、所望する技術を実施するための可能にする説明を当業者に提供するものである。様々な変更は、本開示の意図又は範囲から外れることなく、要素の機能及び配置に関し行われる。
【００６４】
その上、方法の例は、ハードウェア、ソフトウェア、ファームウェア、ミドルウェア、マイクロコード、ハードウェア記述言語又はそれらの如何なる組み合わせにより実施されてもよい。ソフトウェア、ファームウェア、ミドルウェア又はマイクロコードで実施されるとき、必要なタスクを行うためのプログラムコード又はコードセグメントは、例えば記憶媒体のような非一時的なコンピュータ可読の媒体に記憶される。処理器は、記載されたタスクを行う。
【００６５】
幾つかの例示的な構成を述べた場合、本開示の意図から外れることなく、様々な変形例、代替の構造及び等価物が使用されてもよい。例えば、上記要素は、より大きなシステムの構成要素であってもよく、ここで他の規則が優先されてもよいし、そうでなければ本開示の様々な実施又は技術の応用を修正してもよい。さらに、多数のステップは、上記要素が考慮される前に、最中に又はその後に行われてもよい。それに応じて、上記説明は、請求項の範囲を制限しない。
【００６６】
本開示の実施例は例えば、本開示の実施例による方法、システム及びコンピュータプログラム製品のブロック図及び/又は動作の例示を参照して上述されている。ブロックに示される機能／行動は、何れかのフローチャートに示されるような順番で起こらなくてもよい。例えば連続して示される２つのブロックは、実際には略同時に実行されてもよいし、又はこれらブロックは、関連する機能／行動に依存して、時には逆の順番で実行されてもよい。それに加えて又はその代わりに、如何なるフローチャートに示されるブロックの全てが行われる及び/又は実行される必要はない。例えば、所与のフローチャートは、機能／行動を含む５つのブロックを持っている場合、それは、５つのブロックのうち３つのブロックだけが行われる及び/又は実行される場合である。この例において、５つのブロックのうち何れかの３つのブロックが行われる及び/又は実行されてもよい。
【００６７】
本出願に提供される１つ以上の実施例の説明及び例示は、何らかの方法で請求されるような本開示の範囲を限定する又は制限すると意図されない。本出願において提供される実施例、例及び詳細は、所有権を搬送する、並びに請求される実施例の最良のモードにする及びモードを使用することを可能にするのに十分であると考えられる。請求される実施例は、本出願において提供される如何なる実施例、例又は詳細に限定すると考えるべきではない。組み合わせて或いは別々に示される又は説明されるかに関係なく、様々な特徴（構造的及び方法論的の両方）は、これら特徴の特定の組を備える実施例を製造するために選択的に含まれる又は省略されると意図される。本出願の説明又は例示を提供する場合、当業者は、付随する特許請求の範囲から外れていない本出願に論じられる一般的な発明的概念内にある変形例、修正例及び代替実施例を考えてもよい。
【図１】
0006679602.tif 000002
【図２】
0006679602.tif 000003
【図３】
0006679602.tif 000004
【図４】
0006679602.tif 000005
【図５】
0006679602.tif 000006